【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
レンズを保持する第１の部材と、
該第１の部材を、複数のボールを介して光軸方向に移動可能に支持する第２の部材と、
前記第１の部材に、前記第２の部材に対して前記複数のボールを押し付けるための付勢力を作用させる付勢手段とを有し、
前記複数のボールは、互いに前記光軸方向に離れた位置に配置された２つの第１のボールと、前記第１のボールとは光軸回り方向における異なる位相に配置された第２のボールとを含み、
前記第１及び第２の部材は、
前記第１のボールの前記光軸方向への転動を許容し、かつ前記第１の部材の前記第２の部材に対する前記光軸方向とは異なる方向への変位を阻止するように前記第１のボールに係合するガイド部と、
前記第２のボールの前記光軸方向への転動を許容し、かつ前記第１の部材の前記第２の部材に対する前記ガイド部回りでの回転を阻止する回転阻止部とを有し、
前記ガイド部の前記光軸方向の両端の間隔は、前記レンズが前記光軸方向へ移動するときの前記ボールの可動範囲よりも大きく設定されていることを特徴とする光学機器。
【請求項２】
前記付勢手段は、光軸方向視において、前記光軸回り方向における前記ガイド部が設けられた位相と前記回転阻止部が設けられた位相との間の位相に配置されており、
前記付勢力が、前記ガイド部及び前記回転阻止部において同一方向に作用することを特徴とする請求項１に記載の光学機器。
【請求項３】
前記付勢手段は、前記光軸方向において、前記第１の部材における前記２つの第１のボールの間に前記付勢力の中心が位置するように前記第１の部材に前記付勢力を作用させることを特徴とする請求項１又は２に記載の光学機器。
【請求項４】
前記付勢手段は、前記付勢力としての磁気力を発生することを特徴とする請求項１から３のいずれか１つに記載の光学機器。
【請求項５】
前記第１の部材を前記光軸方向に移動させるアクチュエータを有し、
該アクチュエータは、前記磁気力を発生することを特徴とする請求項４に記載の光学機器。
【請求項６】
レンズを保持する第１の部材と、
該第１の部材を、複数のボールを介して光軸方向に移動可能に支持する第２の部材と、
前記第１の部材に、前記第２の部材に対して前記複数のボールを押し付けるための付勢力を作用させる付勢手段とを有し、
前記複数のボールは、互いに前記光軸方向に離れた位置に配置された２つの第１のボールと、前記第１のボールとは光軸回り方向における異なる位相に配置された第２のボールとを含み、
前記第１及び第２の部材は、
前記第１のボールの前記光軸方向への転動を許容し、かつ前記第１の部材の前記第２の部材に対する前記光軸方向とは異なる方向への変位を阻止するように前記第１のボールに係合するガイド部と、
前記第２のボールの前記光軸方向への転動を許容し、かつ前記第１の部材の前記第２の部材に対する前記ガイド部回りでの回転を阻止する回転阻止部とを有し、
前記第１の移動ストロークをＬ、前記ボールの直径をＤとするとき、前記ガイド部の前記光軸方向の両端の間隔は、（１／２）×Ｌ＋Ｄよりも大きく設定されていることを特徴とする光学機器。
【請求項７】
レンズを保持する第１の部材と、
該第１の部材を、複数のボールを介して光軸方向に移動可能に支持する第２の部材と、
前記第１の部材に、前記第２の部材に対して前記複数のボールを押し付けるための付勢力を作用させる付勢手段とを有し、
前記複数のボールは、互いに前記光軸方向に離れた位置に配置されており、
前記第１及び第２の部材は、
前記ボールの前記光軸方向への転動を許容し、かつ前記第１の部材の前記第２の部材に対する前記光軸方向とは異なる方向への変位を阻止するように前記ボールに係合するガイド部と、
前記第１の部材の前記第２の部材に対する前記ガイド部回りでの回転を阻止する回転阻止部とを有し、
前記ガイド部の前記光軸方向の両端の間隔は、前記レンズが前記光軸方向へ移動するときの前記ボールの可動範囲よりも大きく設定されていることを特徴とする光学機器。
【請求項８】
レンズを保持する第１の部材と、
該第１の部材を、複数のボールを介して光軸方向に移動可能に支持する第２の部材と、
前記第１の部材に、前記第２の部材に対して前記複数のボールを押し付けるための付勢力を作用させる付勢手段とを有し、
前記複数のボールは、互いに前記光軸方向に離れた位置に配置されており、
前記第１及び第２の部材は、
前記複数のボールの前記光軸方向への転動を許容し、かつ前記第１の部材の前記第２の部材に対する前記光軸方向とは異なる方向への変位を阻止するように前記ボールに係合するガイド部と、
前記第１の部材の前記第２の部材に対する前記ガイド部回りでの回転を阻止する回転阻止部とを有し、
前記第１の移動ストロークをＬ、前記ボールの直径をＤとするとき、前記ガイド部の前記光軸方向の両端の間隔は、（１／２）×Ｌ＋Ｄよりも大きく設定されていることを特徴とする光学機器。
【請求項９】
レンズを保持する第１の部材と、
該第１の部材を、複数のボールを介して光軸方向に移動可能に支持する第２の部材と、
前記第１の部材に、前記第２の部材に対して前記複数のボールを押し付けるための付勢力を作用させる付勢手段とを有し、
前記複数のボールは、互いに前記光軸方向に離れた位置に配置された２つの第１のボールと、前記第１のボールとは光軸回り方向における異なる位相に配置された第２のボールとを含み、
前記第１及び第２の部材は、
前記第１のボールの前記光軸方向への転動を許容し、かつ前記第１の部材の前記第２の部材に対する前記光軸方向とは異なる方向への変位を阻止するように前記第１のボールに係合するガイド部と、
前記第２のボールの前記光軸方向への転動を許容し、かつ前記第１の部材の前記第２の部材に対する前記ガイド部回りでの回転を阻止する回転阻止部とを有し、
前記ガイド部の前記光軸方向の両端の間隔は、前記レンズが前記光軸方向へ移動するときの前記ボールの可動範囲よりも大きく設定され、
前記第１の部材を前記第１の部材の可動範囲の一方の端に移動させ、その後に、前記第１の部材を前記第１の部材の可動範囲の他方の端に移動させるリセット動作を行うことを特徴とする光学機器。
【請求項１０】
レンズを保持する第１の部材と、
該第１の部材を、複数のボールを介して光軸方向に移動可能に支持する第２の部材と、
前記第１の部材に、前記第２の部材に対して前記複数のボールを押し付けるための付勢力を作用させる付勢手段とを有し、
前記複数のボールは、互いに前記光軸方向に離れた位置に配置された２つの第１のボールと、前記第１のボールとは光軸回り方向における異なる位相に配置された第２のボールとを含み、
前記第１及び第２の部材は、
前記第１のボールの前記光軸方向への転動を許容し、かつ前記第１の部材の前記第２の部材に対する前記光軸方向とは異なる方向への変位を阻止するように前記第１のボールに係合するガイド部と、
前記第２のボールの前記光軸方向への転動を許容し、かつ前記第１の部材の前記第２の部材に対する前記ガイド部回りでの回転を阻止する回転阻止部とを有し、
前記第１の移動ストロークをＬ、前記ボールの直径をＤとするとき、前記ガイド部の前記光軸方向の両端の間隔は、（１／２）×Ｌ＋Ｄよりも大きく設定され、
前記第１の部材を前記第１の部材の可動範囲の一方の端に移動させ、その後に、前記第１の部材を前記第１の部材の可動範囲の他方の端に移動させるリセット動作を行うことを特徴とする光学機器。
【請求項１１】
レンズを保持する第１の部材と、
該第１の部材を、複数のボールを介して光軸方向に移動可能に支持する第２の部材と、
前記第１の部材に、前記第２の部材に対して前記複数のボールを押し付けるための付勢力を作用させる付勢手段とを有し、
前記複数のボールは、互いに前記光軸方向に離れた位置に配置されており、
前記第１及び第２の部材は、
前記ボールの前記光軸方向への転動を許容し、かつ前記第１の部材の前記第２の部材に対する前記光軸方向とは異なる方向への変位を阻止するように前記ボールに係合するガイド部と、
前記第１の部材の前記第２の部材に対する前記ガイド部回りでの回転を阻止する回転阻止部とを有し、
前記ガイド部の前記光軸方向の両端の間隔は、前記レンズが前記光軸方向へ移動するときの前記ボールの可動範囲よりも大きく設定され、
前記第１の部材を前記第１の部材の可動範囲の一方の端に移動させ、その後に、前記第１の部材を前記第１の部材の可動範囲の他方の端に移動させるリセット動作を行うことを特徴とする光学機器。
【請求項１２】
レンズを保持する第１の部材と、
該第１の部材を、複数のボールを介して光軸方向に移動可能に支持する第２の部材と、
前記第１の部材に、前記第２の部材に対して前記複数のボールを押し付けるための付勢力を作用させる付勢手段とを有し、
前記複数のボールは、互いに前記光軸方向に離れた位置に配置されており、
前記第１及び第２の部材は、
前記ボールの前記光軸方向への転動を許容し、かつ前記第１の部材の前記第２の部材に対する前記光軸方向とは異なる方向への変位を阻止するように前記ボールに係合するガイド部と、
前記第１の部材の前記第２の部材に対する前記ガイド部回りでの回転を阻止する回転阻止部とを有し、
前記第１の移動ストロークをＬ、前記ボールの直径をＤとするとき、前記ガイド部の前記光軸方向の両端の間隔は、（１／２）×Ｌ＋Ｄよりも大きく設定され、
前記第１の部材を前記第１の部材の可動範囲の一方の端に移動させ、その後に、前記第１の部材を前記第１の部材の可動範囲の他方の端に移動させるリセット動作を行うことを特徴とする光学機器。
【請求項１３】
レンズを保持する第１の部材と、
該第１の部材を、複数のボールを介して光軸方向に移動可能に支持する第２の部材と、
前記第１の部材に、前記第２の部材に対して前記複数のボールを押し付けるための付勢力を作用させる付勢手段とを有し、
前記複数のボールは、互いに前記光軸方向に離れた位置に配置された２つの第１のボールと、前記第１のボールとは光軸回り方向における異なる位相に配置された第２のボールとを含み、
前記第１及び第２の部材は、
前記第１のボールの前記光軸方向への転動を許容し、かつ前記第１の部材の前記第２の部材に対する前記光軸方向とは異なる方向への変位を阻止するように前記第１のボールに係合するガイド部と、
前記第２のボールの前記光軸方向への転動を許容し、かつ前記第１の部材の前記第２の部材に対する前記ガイド部回りでの回転を阻止する回転阻止部とを有し、
前記ガイド部の前記光軸方向の両端の間隔は、前記レンズが前記光軸方向へ移動するときの前記ボールの可動範囲よりも大きく設定され、
前記第１の部材を前記第１の部材の可動範囲の一方の端に移動させ、その後に、前記第１の部材を前記第１の部材の可動範囲の他方の端に移動させるリセット動作を行うことで、前記レンズが前記光軸方向へ移動するときに、前記ボールが前記第１の部材の両端に接触することを防ぐことを特徴とする光学機器。
【請求項１４】
レンズを保持する第１の部材と、
該第１の部材を、複数のボールを介して光軸方向に移動可能に支持する第２の部材と、
前記第１の部材に、前記第２の部材に対して前記複数のボールを押し付けるための付勢力を作用させる付勢手段とを有し、
前記複数のボールは、互いに前記光軸方向に離れた位置に配置された２つの第１のボールと、前記第１のボールとは光軸回り方向における異なる位相に配置された第２のボールとを含み、
前記第１及び第２の部材は、
前記第１のボールの前記光軸方向への転動を許容し、かつ前記第１の部材の前記第２の部材に対する前記光軸方向とは異なる方向への変位を阻止するように前記第１のボールに係合するガイド部と、
前記第２のボールの前記光軸方向への転動を許容し、かつ前記第１の部材の前記第２の部材に対する前記ガイド部回りでの回転を阻止する回転阻止部とを有し、
前記第１の移動ストロークをＬ、前記ボールの直径をＤとするとき、前記ガイド部の前記光軸方向の両端の間隔は、（１／２）×Ｌ＋Ｄよりも大きく設定され、
前記第１の部材を前記第１の部材の可動範囲の一方の端に移動させ、その後に、前記第１の部材を前記第１の部材の可動範囲の他方の端に移動させるリセット動作を行うことで、前記レンズが前記光軸方向へ移動するときに、前記ボールが前記第１の部材の両端に接触することを防ぐことを特徴とする光学機器。
【請求項１５】
レンズを保持する第１の部材と、
該第１の部材を、複数のボールを介して光軸方向に移動可能に支持する第２の部材と、
前記第１の部材に、前記第２の部材に対して前記複数のボールを押し付けるための付勢力を作用させる付勢手段とを有し、
前記複数のボールは、互いに前記光軸方向に離れた位置に配置されており、
前記第１及び第２の部材は、
前記ボールの前記光軸方向への転動を許容し、かつ前記第１の部材の前記第２の部材に対する前記光軸方向とは異なる方向への変位を阻止するように前記ボールに係合するガイド部と、
前記第１の部材の前記第２の部材に対する前記ガイド部回りでの回転を阻止する回転阻止部とを有し、
前記ガイド部の前記光軸方向の両端の間隔は、前記レンズが前記光軸方向へ移動するときの前記ボールの可動範囲よりも大きく設定され、
前記第１の部材を前記第１の部材の可動範囲の一方の端に移動させ、その後に、前記第１の部材を前記第１の部材の可動範囲の他方の端に移動させるリセット動作を行うことで、前記レンズが前記光軸方向へ移動するときに、前記ボールが前記第１の部材の両端に接触することを防ぐことを特徴とする光学機器。
【請求項１６】
レンズを保持する第１の部材と、
該第１の部材を、複数のボールを介して光軸方向に移動可能に支持する第２の部材と、
前記第１の部材に、前記第２の部材に対して前記複数のボールを押し付けるための付勢力を作用させる付勢手段とを有し、
前記複数のボールは、互いに前記光軸方向に離れた位置に配置されており、
前記第１及び第２の部材は、
前記ボールの前記光軸方向への転動を許容し、かつ前記第１の部材の前記第２の部材に対する前記光軸方向とは異なる方向への変位を阻止するように前記ボールに係合するガイド部と、
前記第１の部材の前記第２の部材に対する前記ガイド部回りでの回転を阻止する回転阻止部とを有し、
前記第１の移動ストロークをＬ、前記ボールの直径をＤとするとき、前記ガイド部の前記光軸方向の両端の間隔は、（１／２）×Ｌ＋Ｄよりも大きく設定され、
前記第１の部材を前記第１の部材の可動範囲の一方の端に移動させ、その後に、前記第１の部材を前記第１の部材の可動範囲の他方の端に移動させるリセット動作を行うことで、前記レンズが前記光軸方向へ移動するときに、前記ボールが前記第１の部材の両端に接触することを防ぐことを特徴とする光学機器。
【手続補正２】
【補正対象書類名】明細書
【補正対象項目名】０００７
【補正方法】変更
【補正の内容】
【０００７】
本発明の一側面としての光学機器は、レンズを保持する第１の部材と、該第１の部材を、複数のボールを介して光軸方向に移動可能に支持する第２の部材と、第１の部材に、第２の部材に対して複数のボールを押し付けるための付勢力を作用させる付勢手段とを有する。複数のボールは、互いに光軸方向に離れた位置に配置された２つの第１のボールと、第１のボールとは光軸回り方向における異なる位相に配置された第２のボールとを含む。第１及び第２の部材は、第１のボールの光軸方向への転動を許容し、かつ第１の部材の第２の部材に対する光軸方向とは異なる方向への変位を阻止するように第１のボールに係合するガイド部と、第２のボールの光軸方向への転動を許容し、かつ第１の部材の第２の部材に対するガイド部回りでの回転を阻止する回転阻止部とを有する。そして、ガイド部の光軸方向の両端の間隔は、レンズが光軸方向へ移動するときのボールの可動範囲よりも大きく設定されていることを特徴とする。
本発明の別の側面としての光学機器は、レンズを保持する第１の部材と、該第１の部材を、複数のボールを介して光軸方向に移動可能に支持する第２の部材と、第１の部材に、第２の部材に対して複数のボールを押し付けるための付勢力を作用させる付勢手段とを有する。複数のボールは、互いに光軸方向に離れた位置に配置された２つの第１のボールと、第１のボールとは光軸回り方向における異なる位相に配置された第２のボールとを含む。第１及び第２の部材は、第１のボールの光軸方向への転動を許容し、かつ第１の部材の第２の部材に対する光軸方向とは異なる方向への変位を阻止するように第１のボールに係合するガイド部と、第２のボールの光軸方向への転動を許容し、かつ第１の部材の第２の部材に対するガイド部回りでの回転を阻止する回転阻止部とを有する。そして、第１の移動ストロークをＬ、ボールの直径をＤとするとき、ガイド部の光軸方向の両端の間隔は、（１／２）×Ｌ＋Ｄよりも大きく設定されていることを特徴とする。
本発明の別の側面としての光学機器は、レンズを保持する第１の部材と、該第１の部材を、複数のボールを介して光軸方向に移動可能に支持する第２の部材と、第１の部材に、第２の部材に対して複数のボールを押し付けるための付勢力を作用させる付勢手段とを有する。複数のボールは、互いに光軸方向に離れた位置に配置されており、第１及び第２の部材は、ボールの光軸方向への転動を許容し、かつ第１の部材の第２の部材に対する光軸方向とは異なる方向への変位を阻止するようにボールに係合するガイド部と、第１の部材の第２の部材に対するガイド部回りでの回転を阻止する回転阻止部とを有し、ガイド部の光軸方向の両端の間隔は、レンズが光軸方向へ移動するときのボールの可動範囲よりも大きく設定されていることを特徴とする。
本発明の別の側面としての光学機器は、レンズを保持する第１の部材と、該第１の部材を、複数のボールを介して光軸方向に移動可能に支持する第２の部材と、第１の部材に、第２の部材に対して複数のボールを押し付けるための付勢力を作用させる付勢手段とを有する。複数のボールは、互いに光軸方向に離れた位置に配置されており、第１及び第２の部材は、ボールの光軸方向への転動を許容し、かつ第１の部材の第２の部材に対する光軸方向とは異なる方向への変位を阻止するようにボールに係合するガイド部と、第１の部材の第２の部材に対するガイド部回りでの回転を阻止する回転阻止部とを有し、第１の移動ストロークをＬ、ボールの直径をＤとするとき、ガイド部の光軸方向の両端の間隔は、（１／２）×Ｌ＋Ｄよりも大きく設定されていることを特徴とする。